【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
メーソンリー製品の形成において使用されるセメント状マトリックスであって、
空冷鉄高炉スラグと、
ボトムアッシュと、
粉末状燃料灰と、
粉砕した水砕鉄高炉スラグと
のうちの１種以上から選択される少なくとも１種の骨材を含んだマトリックス。
【請求項２】
請求項１記載のセメント状マトリックスであって、
少なくとも１種のバインダ
を更に含んだセメント状マトリックス。
【請求項３】
請求項２記載のマトリックスであって、水と、ポルトランドセメントを含んだセメント状バインダとを更に含んだマトリックス。
【請求項４】
請求項３記載のマトリックスであって、少なくとも１種の混合剤であるマトリックス。
【請求項５】
請求項４記載のマトリックスであって、前記少なくとも１種の混合剤は、
（ｉ）減水剤、
（ｉｉ）空気混入剤、
（iii）撥水剤、
（ｉｖ）凝結促進剤、
（ｖ）粘度変更剤
のうちの１種以上から選択されるマトリックス。
【請求項６】
請求項５記載のマトリックスであって、前記少なくとも１種のバインダは、
（ｉ）普通ポルトランドセメント、
（ｉｉ）粉砕した水砕鉄高炉スラグ、
（iii）フライアッシュ
のうちの１種以上から選択されるマトリックス。
【請求項７】
請求項６記載のマトリックスであって、骨材として及びバインダとして使用される前記高炉スラグが、以下の薬品：
苛性ソーダ、
消石灰、
珪酸ナトリウム、
炭酸ナトリウム、
上述の物質の様々な組み合わせ
のうちの１種以上によって、バインダとして働くように活性化されるマトリックス。
【請求項８】
請求項７記載のマトリックスであって、前記組成物が、メーソンリー建築ブロックの製造用のモールドの中に導入されるマトリックス。
【請求項９】
請求項８記載のメーソンリーブロックであって、ポルトランドセメントが、マトリックスの水和中に、前記マトリックス混和物のスラグ成分との反応に利用可能な必要とされる水酸化カルシウムを遊離するメーソンリーブロック。
【請求項１０】
請求項９記載のマトリックスであって、前記水砕鉄高炉スラグの嵩密度が、好ましくは、１ｍ3当たり１．２トン未満であるマトリックス。
【請求項１１】
請求項１０記載のマトリックスであって、前記空冷高炉スラグの嵩密度が、１ｍ3当たり１．３５乃至１．４５トンであるマトリックス。
【請求項１２】
請求項１１記載のマトリックスであって、前記空冷高炉スラグの嵩密度が、圧縮時、１ｍ3当たり１．５０乃至１．６０トンであるマトリックス。
【請求項１３】
請求項１１記載のマトリックであって、前記マトリックスからつくられる前記メーソンリー製品は、従来の骨材を使用する同様の大きさのメーソンリー製品よりも３０％乃至５０％軽量であるマトリックス。
【請求項１４】
請求項１３記載のマトリックスであって、前記マトリックスからつくられる前記製品が、ブロック、スラブ、煉瓦、プレキャストパネル及び下塗り壁を含んでいるマトリックス。
【請求項１５】
メーソンリー製品の形成において使用されるセメント状マトリックスであって、
骨材としての水砕鉄高炉スラグと、
空冷鉄高炉スラグと、
ボトムアッシュと、
粉末状燃料灰及びセメント状バインダと、
粉砕した水砕鉄高炉スラグと、
水と
を含んだマトリックス。
【請求項１６】
請求項１５記載のマトリックスであって、前記セメント状バインダが、ポルトランドセメント、粉砕した水砕鉄高炉スラグ又はフライアッシュのうちの１種以上から選択されるマトリックス。
【請求項１７】
異形メーソンリー製品を形成するためのセメント状マトリックスであって、
少なくとも１種のバインダと、
骨材であって、
ｉ）水砕鉄高炉スラグ、
ｉｉ）空冷鉄高炉スラグ、
iii）ボトムアッシュ、
ｉｖ）フライアッシュ
ｖｉ）粉末状燃料灰及び少なくとも１種のセメント状バインダ、並びに
ｖ）粉砕した水砕鉄高炉スラグ
のうちの１種以上から選択される骨材と、
水と
を含んだマトリックス。
【請求項１８】
請求項１７記載のマトリックスであって、前記少なくとも１種のバインダが、
ｉ）普通ポルトランドセメント、
ｉｉ）粉砕した水砕鉄高炉スラグ、
iii）フライアッシュ
のうちの１種以上から選択されるマトリックス。
【請求項１９】
請求項１８記載のマトリックスであって、前記粉砕した水砕鉄高炉スラグが、潜在性補助的セメント状バインダとしても働くマトリックス。
【請求項２０】
請求項１９記載のマトリックスであって、前記セメント状バインダが、ポルトランドセメントを含んでいるマトリックス。
【請求項２１】
請求項２０記載のマトリックスであって、前記粉砕した水砕鉄高炉スラグが、前記ポルトランドセメントによって生じた水酸化カルシウムと化合しているマトリックス。
【請求項２２】
請求項２１記載のマトリックスであって、前記粉砕した水砕鉄高炉スラグ及び水酸化カルシウムアルミネートが、化合／反応して、カルシウムの珪酸塩／アルミン酸塩の水和物を形成するマトリックス。
【請求項２３】
請求項２２記載のマトリックであって、水砕鉄高炉スラグが、骨材として及び前記バインダとして使用されるとき、
苛性ソーダ、
消石灰、
珪酸ナトリウム、
炭酸ナトリウム、
上述の物質の様々な組み合わせ
から選択される薬品を用いて活性化されるマトリックス。
【請求項２４】
請求項２３記載のマトリックスであって、少なくとも１種の混合剤を更に含んだマトリックス。
【請求項２５】
請求項２４記載のマトリックであって、前記少なくとも１種の混合剤が、
（ｉ）減水剤、
（ｉｉ）空気混入剤、
（iii）撥水剤、
（ｉｖ）凝結促進剤、
（ｖ）粘度変更剤
のうちの１種以上から選択されるマトリックス。
【請求項２６】
建設部材の製造におけるモールド内での使用のためのセメント状マトリックスであって、
少なくとも１種の骨材と、
少なくとも１種のバインダと、
少なくとも１種の混合剤と、
水と
を含み、
前記骨材が、
ｉ）水砕鉄高炉スラグ、
ｉｉ）空冷鉄高炉スラグ、
iii）ボトムアッシュ、
ｉｖ）フライアッシュ
のうちの１種以上から選択されるマトリックス。
【請求項２７】
請求項２６記載のマトリックスであって、前記少なくとも１種のバインダが、
ｉ）普通ポルトランドセメント、
ｉｉ）粉砕した水砕鉄高炉スラグ、
iii）フライアッシュ
のうちの１種以上から選択されるマトリックス。
【請求項２８】
請求項２７記載のマトリックスであって、前記混合剤が、
（ｉ）減水剤、
（ｉｉ）空気混入剤、
（iii）撥水剤、
（ｉｖ）凝結促進剤、
（ｖ）粘度変更剤
のうちの１種以上から選択されるマトリックス。
【請求項２９】
請求項２８記載のマトリックスであって、骨材として使用される水砕鉄高炉スラグの割合が、前記メーソンリー製品の軽量嵩密度に影響を与えるマトリックス。
【請求項３０】
セメント状マトリックス組成物から製造されるメーソンリーブロックであって、前記セメント状マトリックス組成物は、
骨材であって、
ｉ）水砕鉄高炉スラグ、
ｉｉ）空冷鉄高炉スラグ、
iii）ボトムアッシュ、
ｉｖ）フライアッシュ、
ｖ）粉砕した水砕鉄高炉スラグ、
ｖｉ）粉末状燃料灰
のうちの１種以上から選択される骨材と、
水と、
少なくとも１種のバインダと
を含んだメーソンリーブロック。
【請求項３１】
請求項３０記載のメーソンリーブロックであって、前記セメント状マトリックスが、少なくとも１種の混合剤を更に含んでいるメーソンリーブロック。
【請求項３２】
請求項３１記載のメーソンリーブロックであって、前記少なくとも１種の混合剤が、
（ｉ）減水剤、
（ｉｉ）空気混入剤、
（iii）撥水剤、
（ｉｖ）凝結促進剤、
（ｖ）粘度変更剤
のうちの１種以上から選択されるメーソンリーブロック。
【請求項３３】
請求項３２記載のメーソンリーブロックであって、前記バインダが、ポルトランドセメント、粉砕した水砕鉄高炉スラグ又はフライアッシュから選択されるメーソンリーブロック。
【請求項３４】
請求項３３記載のメーソンリーブロックであって、前記組成物は、前記ブロックを形成するための所定の形状のモールドの中に導入されるメーソンリーマトリックス。